(57)【要約】【課題】自動販売機全体での消費電力量の低減を図ることができる自動販売機を提供すること。【解決手段】本体キャビネット１０の内壁面１１ａ〜１１ｅに断熱部材３１ａ〜３１ｅを配設することにより内面が形成された商品収容室３０を備えた自動販売機において、商品収容室３０の内部に、該商品収容室３０から取り外し自在に配設された断熱仕切板５０と、商品収容室３０の左右方向に沿って個別にスライド移動自在に並設された複数の商品収容庫６０とを備え、断熱仕切板５０を取り外して商品収容庫６０をスライド移動させた場合に、商品収容庫６０のスライド移動により生じたスペースに、取り外した断熱仕切板５０の配設を許容するものである。【選択図】        図９
2005149019.tif 000002
【特許請求の範囲】
【請求項１】
自動販売機本体の内壁面に断熱部材を配設することにより内面が形成された商品収容室を備えた自動販売機において、
前記商品収容室の内部に、
前記商品収容室から取り外し自在に配設された断熱仕切部材と、
前記商品収容室の左右方向に沿って個別にスライド移動自在に並設された複数の商品収容庫と
を備え、
前記断熱仕切部材を取り外して前記商品収容庫をスライド移動させた場合に、商品収容庫のスライド移動により生じたスペースに、取り外した断熱仕切部材の配設を許容することを特徴とする自動販売機。
【請求項２】
前記商品収容室には、前記自動販売機本体の底壁面に配設された断熱部材の上面を覆う態様で金属からなる底板部材が配置されており、
前記底板部材は、前記商品収容庫ごとに分割されてそれぞれの商品収容庫を構成するものであることを特徴とする請求項１に記載の自動販売機。
【請求項３】
上記断熱部材は、その表面が熱伝導率の低い材質から形成されていることを特徴とする請求項１または請求項２に記載の自動販売機。
【発明の詳細な説明】
【技術分野】
【０００１】
本発明は、例えば缶入り飲料、瓶入り飲料、紙パック入り飲料およびペットボトル入り飲料等の各種商品を冷却した状態、あるいは加温した状態で販売する自動販売機に関し、より詳細には、商品を収容するための商品収容室の構造に工夫を施した自動販売機に関する。
【背景技術】
【０００２】
近年、例えば缶入り飲料、瓶入り飲料、紙パック入り飲料およびペットボトル入り飲料等の各種商品を販売する自動販売機として、内箱が存在しないで商品を収容するための商品収容室が形成された自動販売機が知られている。
【０００３】
この種の自動販売機は、前面に開口を有する自動販売機本体の内壁面に配設された断熱部材で内面が形成され、該自動販売機本体の底壁面に配設された断熱部材の上面（内表面）を覆う態様で底板部材が配置された商品収容室を備えている（例えば、特許文献１）。
【０００４】
図２０および図２１は、この種の自動販売機における商品収容室を簡略的に示したものであり、図２０は分解斜視図であり、図２１は正面断面図である。これら図２０および図２１に示したように、商品収容室３００は、自動販売機本体１００の内部において、天部、底部、背部および両側部がパネル状の断熱部材３１０ａ〜３１０ｅにより囲繞され、これら断熱部材３１０ａ〜３１０ｅにより内面が形成され、底部にある断熱部材３１０ｂの上面を覆う態様で板金からなる底板部材３２０が配置されている。この商品収容室３００は、自動販売機本体１００と同様に前面に開口を有している。商品収容室３００の前面開口は、該前面開口を覆うのに十分な大きさを有し、かつ断熱構造を有する内扉（図示せず）により開閉自在になっている。底板部材３２０は、室内で発生した水分を室外へ排出するための排水通路３５０を有しており、底部にある断熱部材３１０ｂを保護するための保護部材として、あるいは室内に様々な部品を取り付けるためのベース部材としての種々の機能を果たすものである。
【０００５】
そして、このような商品収容室３００には、図２１に示したように、例えば二つの断熱仕切板５００をそれぞれ所定の個所に配設することにより、三つの商品収容庫６００（６００ａ，６００ｂ，６００ｃ）が並設されている。これら商品収容庫６００は、商品を決められた温度状態に保持して収容するものであり、収容された商品を冷却するための商品冷却庫として、あるいは収容された商品を加温するための商品加温庫として運転される。
【０００６】
【特許文献１】特開２０００−１６３６３９号公報
【発明の開示】
【発明が解決しようとする課題】
【０００７】
例えば、左側商品収容庫６００ａおよび中央商品収容庫６００ｂを商品冷却庫とし、右側商品収容庫６００ｃを商品加温庫として運転した場合においては、温度差の殆どない左側商品収容庫６００ａと中央商品収容庫６００ｂとの間に断熱仕切板５００を介在させる必要はなく、むしろ温度差の大きい中央商品収容庫６００ｂと右側商品収容庫６００ｃとの間に介在する断熱仕切板５００の数を増加させて断熱効果を向上させる方が、自動販売機全体の省エネルギー化、すなわち自動販売機全体の消費電力の低減を図る上では好ましい。
【０００８】
上記自動販売機で上述した自動販売機全体の消費電力量の低減を図る場合には、左側商品収容庫６００ａと中央商品収容庫６００ｂとの間に介在する断熱仕切板５００を取り外して、中央商品収容庫６００ｂと右側商品収容庫６００ｃとの間に取り外した断熱仕切板５００を配設することにより、中央商品収容庫６００ｂと右側商品収容庫６００ｃとの間に複数の断熱仕切板５００を介在させる必要がある。
【０００９】
ところが、上記自動販売機では、左側商品収容庫６００ａと中央商品収容庫６００ｂとの間には、断熱仕切板５００を取り外したことによりスペースが生じてしまい、しかも中央商品収容庫６００ｂと右側商品収容庫６００ｃとの間には、複数の断熱仕切板５００が配設できるスペースを予め確保しなければならない。これでは、このようなスペースに、商品を決められた温度状態に保持するために商品収容庫内を循環している冷却風、あるいは加温風が流れてしまう結果、冷却効率の低下、あるいは加温効率の低下を招くことになる。このような冷却効率の低下、あるいは加温効率の低下を防ぐために、冷却運転に要する電力、あるいは加温運転に要する電力を必要以上に要し、結果として自動販売機全体の消費電力量の低減を図るのが困難であった。
【００１０】
本発明は、上記実情に鑑みて、自動販売機全体での消費電力量の低減を図ることができる自動販売機を提供することを目的とする。
【課題を解決するための手段】
【００１１】
上記目的を達成するために、本発明の請求項１に係る自動販売機は、自動販売機本体の内壁面に断熱部材を配設することにより内面が形成された商品収容室を備えた自動販売機において、前記商品収容室の内部に、前記商品収容室から取り外し自在に配設された断熱仕切部材と、前記商品収容室の左右方向に沿って個別にスライド移動自在に並設された複数の商品収容庫とを備え、前記断熱仕切部材を取り外して前記商品収容庫をスライド移動させた場合に、商品収容庫のスライド移動により生じたスペースに、取り外した断熱仕切部材の配設を許容することを特徴とする。
【００１２】
また、本発明の請求項２に係る自動販売機は、上記請求項１において、前記商品収容室には、前記自動販売機本体の底壁面に配設された断熱部材の上面を覆う態様で金属からなる底板部材が配置されており、前記底板部材は、前記商品収容庫ごとに分割されてそれぞれの商品収容庫を構成するものであることを特徴とする。
【００１３】
また、本発明の請求項３に係る自動販売機は、上記請求項１または上記請求項２において、上記断熱部材は、その表面が熱伝導率の低い材質から形成されていることを特徴とする。
【発明の効果】
【００１４】
本発明の請求項１に記載の自動販売機によれば、自動販売機本体の内壁面に断熱部材を配設することにより内面が形成された商品収容室の内部に、商品収容室から取り外し自在に配設された断熱仕切部材と、商品収容室の左右方向に沿って個別にスライド移動自在に並設された複数の商品収容庫とを備え、断熱仕切部材を取り外して商品収容庫をスライド移動させた場合に、商品収容庫のスライド移動により生じたスペースに、取り外した断熱仕切部材の配設を許容するので、商品収容室全体の寸法を変えることなく、所定の商品収容庫とその外部との間における断熱効果を向上させて熱移動量を低減させることができ、その結果、所定の商品収容庫での温度状態を保持するための運転に要する電力を必要最小限にすることができる。従って、自動販売機全体の消費電力量の低減を図ることができるという効果を奏する。
【００１５】
また、本発明の請求項２に記載の自動販売機によれば、自動販売機本体の底壁面に配設された断熱部材の上面を覆う態様で配置された金属からなる底板部材が、商品収容庫ごとに分割されてそれぞれの商品収容庫を構成するので、互いに隣接して温度状態が異なる商品収容庫間での該底板部材を介しての熱移動を抑制することができる。そのため、各商品収容庫での温度状態を保持するための運転に要する電力を必要最小限にすることができ、自動販売機全体での消費電力量の低減を図ることができるという効果を奏する。
【００１６】
また、本発明の請求項３に記載の自動販売機によれば、断熱部材は、その表面が熱伝導率の低い材質から形成されているので、従来のように断熱仕切部材と接する部分にスリットを設ける必要がない。より詳細に説明すると、従来は断熱部材の表面に金属薄板を貼り付けてあり、断熱仕切部材と接触する部分には熱移動を低減させるためにスリットを設けていたが、本発明では、断熱部材の表面が熱伝導率の低い材質から形成されているので、断熱仕切部材と接する部分にスリットを設ける必要がないという効果を奏する。
【発明を実施するための最良の形態】
【００１７】
以下に添付図面を参照して、本発明に係る自動販売機の好適な実施例について詳細に説明する。尚、この実施例により本発明が限定されるものではない。
【実施例】
【００１８】
図１および図２は、本発明の実施例に係る自動販売機の要部を簡略的に示したものであり、図１は分解斜視図であり、図２は側面断面図である。尚、上述の図２０および図２１と同一の構成を有するものには、同一の符号を付してその説明を省略する。これら図１および図２において、自動販売機は、自動販売機本体である本体キャビネット１０と、外扉２０と、商品収容室３０とを備えて構成してある。
【００１９】
本体キャビネット１０は、前面が開口した直方状の形態を有し、例えば板金から形成したものである。この本体キャビネット１０には、大きさの異なる二つの直方状の凹部が形成してある。これら凹部のうち、上方側の第一凹部１１は、詳細は後述するが、商品収容室３０を形成するための領域であり、下方側の第二凹部１２は、コンプレッサー２（図２参照）などを配置するための機械室３を形成するための領域である。
【００２０】
外扉２０は、本体キャビネット１０の前面開口を覆うに十分な大きさを有したもので、鋼材により堅牢に形成してある。この外扉２０は、本体キャビネット１０の前面開口を開閉可能にする態様で該本体キャビネット１０の前面の一側に支承してある。また、図には明示しないが、外扉２０の表面側には、商品見本を展示する展示室と、展示した商品を選択する選択ボタンと、硬貨を投入する硬貨投入口と、紙幣を投入する紙幣投入口と、商品を取り出すための商品取出口と、硬貨を返却する硬貨返却口とが配設してある。更に、外扉２０の裏面側には、自動販売機を制御する制御基板と、硬貨投入口から硬貨を受け入れて釣銭を硬貨返却口に放出する硬貨処理装置と、紙幣投入口から紙幣を受け入れる紙幣処理装置とが配設してある。
【００２１】
商品収容室３０は、その内部に商品を収容するためのものであり、本体キャビネット１０の内部に設けてある。より詳細に説明すると、商品収容室３０は、天部、底部、背部および両側部が複数の断熱部材３１ａ〜３１ｅにより囲繞され、これら断熱部材３１ａ〜３１ｅにより内面が形成されている。
【００２２】
複数の断熱部材３１ａ〜３１ｅは、それぞれパネル状の形状を有しており、例えばウレタン樹脂等の発泡体を基材として、この基材の表面に熱伝導率の低い材質であるポリエチレンテレフタレート（ＰＥＴ）等の表面材が形成されたものである。これら複数の断熱部材３１ａ〜３１ｅは、本体キャビネット１０の第一凹部１１の内壁面のそれぞれの面方向に沿って配設されている。具体的に説明すると、断熱部材３１ａ（以下、天部断熱部材３１ａともいう）は、第一凹部１１の天井壁面１１ａの面方向に沿って配設され、断熱部材３１ｂ（以下、底部断熱部材３１ｂともいう）は、第一凹部１１の底壁面１１ａの面方向に沿って配設され、断熱部材３１ｃ（以下、背部断熱部材３１ｃともいう）は、第一凹部１１の背壁面１１ｃの面方向に沿って配設され、断熱部材３１ｄ（以下、左側部断熱部材３１ｄともいう）は、第一凹部１１の左側壁面１１ｄの面方向に沿って配設され、断熱部材３１ｅ（以下、右側部断熱部材３１ｅともいう）は、第一凹部１１の右側壁面１１ｅの面方向に沿って配設されている。各断熱部材間の相互接合部位は、必要に応じて、例えばシリコーン樹脂等のシール材で接合してある。このように、商品収容室３０は、本体キャビネット１０（第一凹部１１）の内部において、第一凹部１１の形状に対応して直方状の形状を有し、天部、底部、背部および両側部が断熱部材３１ａ〜３１ｅにより囲繞されて内面が形成されている。尚、複数の断熱部材３１ａ〜３１ｅの基材の表面材としては、ポリエチレンテレフタレート（ＰＥＴ）の他に、その他の樹脂（例えば、ポリエチレン（ＰＥ）、ポリプロピレン（ＰＰ）など）や紙材でも良い。
【００２３】
このような商品収容室３０は、本体キャビネット１０（第一凹部１１）と同様に前面に開口を有している。また、本体キャビネット１０の前面部の一側には、外扉２０とは別体にした内扉２１（図２参照）が設けてある。内扉２１は、商品収容室３０の前面開口を覆うに十分な大きさであり断熱構造を有している。
【００２４】
また、商品収容室３０の内部には、図３に示したように、上端部に前方フレーム材１３および後方フレーム材１４を介して複数（本実施例では三つ）のラック支持フレーム４０が左右方向に沿って並設してある。前方フレーム材１３には、後述するローラ４３を回転自在に支持するための案内面１３ａが左右方向に延びる態様で形成してある。また、後方フレーム材１４には、後述するローラ４４を回転自在に支持するための案内面１４ａが左右方向に延びる態様で形成してある。
【００２５】
ラック支持フレーム４０は、後述する商品収納ラック７０を保持するためのもので、それぞれが、一対の縦フレーム材４１の間に、複数（本実施例では三つ）の横フレーム材４２を架設することによって予め格子状に構成してある。
【００２６】
縦フレーム材４１は、図４に示したように、長尺平板状の縦材水平部４１ａと、縦材水平部４１ａの一端縁部から直角に屈曲した長尺平板状の縦材垂下部４１ｂとを有したもので、横断面がＬ字状をなしている。縦フレーム材４１における縦材水平部４１ａのそれぞれの前端部には、ローラ４３ａがブラケット４４ａを介して回転自在に取り付けてある。また、縦材水平部４１ａのそれぞれの後端部には、ローラ４３ｂがブラケット４４ｂを介して回転自在に取り付けてある。これらローラ４３ａ，４３ｂが、前方フレーム材１３および後方フレーム材１４のそれぞれに形成された案内面１３ａ，１４ａ上を転動することにより、ラック支持フレーム材４０は、左右方向にスライド移動自在になっている。ここに、各ラック支持フレーム４０の縦フレーム材４１は、互いに縦材水平部４１ａの他端縁を対向させる態様で相互に平行に配設してある。
【００２７】
横フレーム材４２は、長尺平板状の横材水平部４２ａと、横材水平部４２ａの一端縁部から直角に屈曲した長尺平板状の横材垂下部４２ｂと、横材垂下部４２ｂの延在縁部から横材水平部４２ａに対して平行に延在した後に該横材水平部４２ａに向けて直角に屈曲した係止部４２ｃとを有したもので、横材水平部４２ａの各端部をそれぞれ縦フレーム材４１における縦材水平部４１ａの上面に接合させ、互いに平行になる態様で一対の縦フレーム材４１に接合してある。
【００２８】
尚、本実施例では、互いに左右幅の異なる三種類のラック支持フレーム４０、すなわち、左側ラック支持フレーム４０ａ、中央ラック支持フレーム４０ｂおよび右側ラック支持フレーム４０ｃを備えるものを例示している。これら三種類のラック支持フレーム４０（左側ラック支持フレーム４０ａ、中央ラック支持フレーム４０ｂおよび右側ラック支持フレーム４０ｃ）は、横フレーム材４２の長さのみが異なるもので、個々の詳細構成は互いに同一である。
【００２９】
一方、商品収容室３０の内部には、図５に示したように、下端部に複数（本実施例では三つ）の底板部材３２が左右方向に沿って並列に配置してある。底板部材３２は、板金から形成されたものであり、底部断熱部材３１ｂの上面を覆う態様で配置してある。この底板部材３２の下部の前端部および後端部には、左右方向に配列する複数のローラ３３ａ，３３ｂがそれぞれブラケット３４ａ，３４ｂを介して回転自在に取り付けてある。これらローラ３３ａ，３３ｂが底部断熱部材３１ｂ上を転動することにより、底板部材３２は、左右方向にスライド移動自在になっている。
【００３０】
底板部材３２の上面には、商品収容室３０の内部で発生した水分を外部へ排出するための排水通路３５が形成してあるとともに、該上面の後端部および両側部に、上方に延びる態様の垂上部３６が形成してある。また、底板部材３２には、後端部に該底板部材３２と同じ左右幅を有し、商品収容室の内部雰囲気を循環させるための循環ダクト３７が配設してあるとともに、上部に後述する商品収納ラック７０の下方に位置する商品に冷風、あるいは温風を吹きつけるための冷却／加熱ユニット３８が搭載してある。冷却／加熱ユニット３８には、機械室３に配置されたコンプレッサー２などが図示しない冷媒配管を介して連結してある。この冷却／加熱ユニット３８は、冷風と温風とを切り換えることができるようになっており、循環ダクト３７および庫内送風ファン３８ａによって冷風または温風を循環供給することが可能である。更に、図２および図５中の符号３９は商品搬出シュータであるが、かかる商品搬出シュータ３９は、その前端部が底板部材３２に固定され、その後端部が循環ダクト３７に固定されて配設されている。
【００３１】
このように、底板部材３２は、底部の断熱部材３１ｂを保護するための保護部材として、あるいは室内に様々な部品を取付けるためのベース部材としての種々の機能を果たすものであり、循環ダクト３７、熱交換器３８、庫内送風ファン３８ａおよび商品搬出シュータ３９とともに左右方向にスライド移動自在になっている。
【００３２】
尚、本実施例では、互いに左右幅の異なる三種類の底板部材３２、すなわち、左側底板部材３２ａ、中央底板部材３２ｂおよび右側底板部材３２ｃを備えるものを例示している。ここで、左側底板部材３２ａの左右幅は上記左側ラック支持フレーム４０ａと同じであり、中央底板部材３２ｂの左右幅は上記中央ラック支持フレーム４０ｂと同じであり、右側底板部材３２ｃの左右幅は上記右側ラック支持フレーム４０ｃと同じである。つまり、左側底板部材３２ａ、これに配設された循環ダクト（以下、左側循環ダクトともいう）３７ａおよび左側ラック支持フレーム４０ａは、同一の左右幅を有し、中央底板部材３２ｂ、これに配設された循環ダクト（以下、中央循環ダクトともいう）３７ｂおよび中央ラック支持フレーム４０ｂは、同一の左右幅を有し、右側底板部材３２ｃ、これに配設された循環ダクト（以下、右側循環ダクトともいう）３７ｃおよび右側ラック支持フレーム３７ｃは、同一の左右幅を有する。これら三種類の底板部材３２（左側底板部材３２ａ、中央底板部材３２ｂおよび右側底板部材３２ｃ）は、左右幅のみが異なるもので、個々の詳細構成は同一である。
【００３３】
このようにして、商品収容室３０の内部に配設されたラック支持フレーム４０および底板部材３２には、隣接するラック支持フレーム４０の相互間および隣接する底板部材３２の相互間に断熱仕切板（断熱仕切部材）５０が保持してある。つまり、隣接するラック支持フレーム４０の間には、縦フレーム材４１の縦材垂下部４１ｂが対向して配置されることになり、これら縦材垂下部４１ｂの相互間に断熱仕切板５０の上端部が挟装保持されることになる。また、隣接する底板部材３２の間には、互いの側部に形成された垂上部３６が対向して配置されることになり、これら垂上部３６の相互間に断熱仕切板５０の下端部が挟装保持されることになる。
【００３４】
断熱仕切板５０は、例えばウレタン樹脂等の断熱材からなり、図７に示したように、下部に複数のローラ５１が回転自在に取り付けてある。ローラ５１の外径は、断熱仕切板５０の厚みと略等しい大きさである。これらローラ５１が、隣接する底板部材３２の相互間において、該底板部材３２の側部を前後方向に転動することにより、断熱仕切板５０は、前後方向にスライド移動自在になっており、商品収容室３０から取り外し自在になっている。また、断熱仕切板５０には、前面にガスケット５２が配設してあり、下部の前面にハーネス等の配線を挿通するための切欠部５３が形成してある。
【００３５】
このような断熱仕切板５０を商品収容室３０の前面開口から進入させて、上端部をラック支持フレーム４０に挟装保持させながら下端部を底板部材３２に挟装保持させて配設することにより、図８に示したように、該商品収容室３０の内部に、複数（本実施例では三つ）の商品収容庫６０が左右方向に並設してある。これら商品収容庫６０は、商品を決められた温度状態に保持して収容するものであり、収容された商品を冷却するための商品冷却庫として、あるいは収容された商品を加温するための商品加温庫として運転される。
【００３６】
また、商品収容庫６０には、商品収納ラック７０が配設してあり、より詳細には、ラック支持フレーム４０の横フレーム材４２における係止部４２ｃに係合した態様で商品収納ラック７０が配設してある。商品収納ラック７０は、図２に示したように、一対の側板７１の間にセグメントと称される湾曲形状の案内部材７２を配設することによって上下方向に延在する蛇行状の商品収納域７３を構成したもので、該商品収納域７３に商品を収納する一方、商品払出指令が与えられた場合に対応する商品の払い出しを行う。本実施例では、それぞれの商品収容庫６０に複数の商品収納域７３を有した商品収納ラック７０を前後に配設するようにしている。
【００３７】
ここで、商品収容庫６０についてより詳細に説明すると次のようになる。商品収容庫６０は、上述のラック支持フレーム４０（商品収納ラック７０を含む）および底板部材３２（循環ダクト３７、冷却／加熱ユニット３８、商品搬出シュータ３９を含む）を内包するものである。つまり、ラック支持フレーム４０および底板部材３２が左右方向にスライド移動自在なように、商品収容庫６０も左右方向にスライド移動自在である。
【００３８】
また、本実施例では、互いに左右幅の異なる三種類の商品収容庫６０、すなわち、左側商品収容庫６０ａ、中央商品収容庫６０ｂおよび右側商品収容庫６０ｃを備えるものを例示している。左側商品収容庫６０ａは、左側ラック支持フレーム４０ａ（商品収納ラック７０ｃ）および左側底板部材３２ａを有し、中央商品収容庫６０ｂは、中央ラック支持フレーム４０ｂ（商品収納ラック７０ｂ）および中央底板部材３２ｂを有し、右側商品収容庫６０ｃは、右側ラック支持フレーム４０ｃ（商品収納ラック７０ｃ）および右側底板部材３２ｃを有している。これら三種類の商品収容庫６０（左側商品収容庫６０ａ、中央商品収容庫６０ｂおよび右側商品収容庫６０ｃ）は、左右幅のみが異なるもので、個々の詳細構成は同一である。
【００３９】
以上のような構成の自動販売機においては、断熱仕切板５０が商品収容室３０から取り外し自在であり、商品収容庫６０がそれぞれ左右方向にスライド移動自在であるから、次のようにして商品収容室３０の内部の配置パターンを変更することができる。
【００４０】
図９は、商品収容室の断面平面図であり、図１０および図１１は、それぞれ商品収容室の正面断面図である。尚、図１０は、図９の（ａ）に示した状態を正面から示したものであり、図１１は、図９の（ｃ）に示した状態を正面から示したものである。
【００４１】
まず、図９の（ａ）に示したように、外扉２０および内扉２１を開いて、左側商品収容庫６０ａと中央商品収容庫６０ｂとの間に介在する断熱仕切板５０を商品収容室３０の前面開口を通じて取り外す。次に、図９の（ｂ）に示したように、中央商品収容庫６０ｂ（中央ラック支持フレーム４０ｂおよび中央底板部材３２ｂ）を左方向にスライド移動させて左側商品収容庫６０ａに当接させることにより生じたスペースに、先程取り外した断熱仕切板５０を商品収容室３０の前面開口から進入させる。これにより、図９の（ｃ）に示したように、左側商品収容庫６０ａと中央商品収容庫６０ｂとが当接し、該中央商品収容庫６０ｂと右側商品収容庫６０ｃとの間に二つの断熱仕切板５０が介在することになる。
【００４２】
このように商品収容室３０の内部の配置パターンを、図９の（ａ）に示した状態から図９の（ｃ）に示した状態に変更することにより、例えば左側商品収容庫６０ａおよび中央商品収容庫６０ｂが商品冷却庫として、右側商品収容庫６０ｃが商品加温庫として運転していた場合に、商品収容室３０全体の寸法を変更することなく、温度差の大きい中央商品収容庫６０ｂと右側商品収容庫６０ｃとの間（商品冷却庫と商品加温庫との間）に二つの断熱仕切板５０を介在させることができ、断熱仕切板５０が一つの場合に比して、商品冷却庫（６０ｂ）と商品加温庫（６０ｃ）との間での熱移動量を低減させることができる。尚、商品冷却庫間（左側商品収容庫６０ａと中央商品収容庫６０ｂとの間）は、温度状態が略等しくて温度差が殆どないため、熱移動が起こりにくく、結果として断熱仕切板を介在させる必要はない。
【００４３】
また、このような商品収容室３０の内部の配置パターンの変更であれば、中央商品収容庫６０ｂが全体として左方向にスライド移動して断熱仕切板５０を取り外したことにより生じたスペースを埋めることができる。そのため、左側商品収容庫６０ａおよび中央商品収容庫６０ｂの内部を循環している冷却風の経路が変化することなく、冷却効率の低下を招く虞れがない。
【００４４】
更に、上記自動販売機においては、図８に示したように、左側商品収容庫６０ａと中央商品収容庫６０ｂとの間に断熱仕切板５０を介在させ、中央商品収容庫６０ｂと右側商品収容庫６０ｃとの間に断熱仕切板５０を介在させて、商品収容室３０の内部の配置パターンを形成した場合には、左側商品収容庫６０ａおよび右側商品収容庫６０ｃを商品冷却庫として、中央商品収容庫６０ｂを商品加温庫として、商品冷却庫と商品加温庫とを交互に配置した状態で運転することもできる。このような運転を行うことにより、商品収容数の少ない中央商品収容庫６０ｂのみの商品をコールド専用商品とホット専用商品との間で簡便に入れ替えることができる。そして、左側商品収容庫６０ａおよび中央商品収容庫６０ｂを商品冷却庫とし、右側商品収容庫６０ｃを商品加温庫とするよう各商品収容庫６０の運転を切り換えた場合には、上述のように、左側商品収容庫６０ａと中央商品収容庫６０ｂとの間に介在する断熱仕切板５０を取り外し、中央商品収容庫６０ｂを左方向にスライド移動させることにより生じたスペースに、先程取り外した断熱仕切板５０を配設して、中央商品収容庫６０ｂと右側商品収容庫６０ｃとの間に二つの断熱仕切板５０が介在させることができる。これにより、商品収容室３０全体の寸法を変更することなく、温度差の大きい中央商品収容庫６０ｂと右側商品収容庫６０ｃとの間での熱移動量を低減させることができる。尚、ここでは、商品収容庫６０における商品冷却庫と商品加温庫との交互運転の例として、左側商品収容庫６０ａおよび右側商品収容庫６０ｃを商品冷却庫とし、中央商品収容庫６０ｂを商品加温庫として運転する場合を示したが、本発明ではこれに限定されず、左側商品収容庫６０ａおよび右側商品収容庫６０ｃを商品加温庫とし、中央商品収容庫６０ｂを商品冷却庫として運転してもよい。
【００４５】
以上のような本発明の実施例に係る自動販売機によれば、商品収容室３０から取り外し自在に配設された断熱仕切板５０と、この断熱仕切板５０が取り外されることによりスライド移動自在になる商品収容庫６０とを備え、断熱仕切板５０を取り外して商品収容庫６０をスライド移動させた場合に、商品収容庫６０のスライド移動により生じたスペースに、取り外した断熱仕切板５０の配設を許容するので、温度差の大きい商品収容庫間に複数の断熱仕切板５０を介在させることができ、これにより、商品収容室３０全体の寸法を変えることなく、かかる商品収容庫間での熱移動量を低減させることができ、その結果、商品収容庫６０での冷却運転、あるいは加温運転に要する電力を必要最小限にすることができる。従って、自動販売機全体の消費電力量の低減を図ることができる。
【００４６】
また、底板部材３２は、商品収容庫６０ごとに別体にしてあるので、温度差の大きい商品収容庫間での該底板部材３２を介しての熱移動を抑制することができる。そのため、商品収容庫６０での冷却運転、あるいは加温運転に要する電力を必要最小限にすることができ、自動販売機全体での消費電力量の低減を図ることができる。
【００４７】
更に、複数の断熱部材３１ａ〜３１ｅは、その表面が熱伝導率の低い材質であるポリエチレンテレフタレート（ＰＥＴ）等から形成されているので、従来のように断熱仕切板５０と接する部分にスリットを設ける必要がない。より詳細に説明すると、従来は断熱部材の表面に金属薄板を貼り付けてあり、断熱仕切板と接触する部分には熱移動を低減させるためにスリットを設けていたが、本発明では、断熱部材３１ａ〜３１ｅの表面が熱伝導率の低い材質（ポリエチレンテレフタレート（ＰＥＴ））から形成されているので、断熱仕切板５０と接する部分にスリットを設ける必要がない。特に、本発明のように断熱仕切板５０が取り外し自在であり、断熱仕切板５０の配設個所が複数ある場合には、背部断熱部材３１ｃの断熱仕切板５０と接触する可能性のある部分が複数存在することになるため、背部断熱部材３１ｃの表面に金属薄板が貼り付けてあればそれぞれの部分にスリットが必要になるが、表面が熱伝導率の低い材質から形成されていればスリットを設ける必要がないので有利である。
【００４８】
以下に、商品収容室３０の内部の代表的な配置パターンを図１２〜図１８に示して、それぞれについて説明する。
【００４９】
図１２に示した配置パターンは、次のようにして得られる。ここでは、各商品収容庫６０は、商品冷却庫として運転している。まず、図８に示した状態から左側商品収容庫６０ａと中央商品収容庫６０ｂとを仕切る断熱仕切板５０を商品収容室３０の前面開口を通じて取り外す。次に、左側商品収容庫６０ａを右方向にスライド移動させて中央商品収容庫６０ｂに当接させることにより生じたスペースに、先程取り外した断熱仕切板５０を商品収容室３０の前面開口から進入させて、左側部断熱部材３１ｄと左側商品収容庫６０ａとの間に断熱仕切板５０を介在させる。また、これと同様に、中央商品収容庫６０ｂと右側商品収容庫６０ｃとを仕切る断熱仕切板５０を商品収容室３０の前面開口を通じて取り外す。次に、右側商品収容庫６０ｃを左方向にスライド移動させて中央商品収容庫６０ｂに当接させることにより生じたスペースに、先程取り外した断熱仕切板５０を商品収容室３０の前面開口から進入させて、右側部断熱部材３１ｅと右側商品収容庫６０ｃとの間に断熱仕切板５０を介在させる。
【００５０】
このような商品収容室３０の配置パターンであれば、商品収容庫６０の内部と本体キャビネット１０の外部との熱移動量の低減を図ることが可能になり、例えば、外気温が２７℃で商品収納ラック７０から取り出される商品の目標冷却温度を４℃に設定し、一つの断熱仕切板５０の厚みを１０ｍｍまたは３０ｍｍとした場合、従来のものに比して、消費電力量を計算上、それぞれ４．１％または６．８％低減させることが可能である。
【００５１】
図１３に示した配置パターンは、次のようにして得られる。ここでは、左側商品収容庫６０ａおよび中央商品収容庫６０ｂを商品冷却庫として、右側商品収容庫６０ｃを商品加温庫として運転している。まず、図８に示した状態から左側商品収容庫６０ａと中央商品収容庫６０ｂとを仕切る断熱仕切板５０を商品収容室３０の前面開口を通じて取り外す。次に、中央商品収容庫６０ｂを左方向にスライド移動させて左側商品収容庫６０ａに当接させることにより生じたスペースに、先程取り外した断熱仕切板５０を商品収容室３０の前面開口から進入させて、中央商品収容庫６０ｂと右側商品収容庫６０ｃとの間に二つの断熱仕切板５０を介在させる。
【００５２】
このような商品収容室３０の配置パターンであれば、温度差の大きい商品冷却庫（左側商品収容庫６０ａおよび中央商品収容庫６０ｂ）と商品加温庫（右側商品収容庫６０ｃ）との間における熱移動量の低減を図ることが可能になり、例えば、外気温が１５℃で商品収納ラック７０ａ，７０ｂから取り出される商品の目標冷却温度を４℃に設定するとともに、商品収納ラック７０ｃから取り出される商品の目標加温温度を５５℃に設定し、一つの断熱仕切板５０の厚みを１０ｍｍまたは３０ｍｍとした場合、従来のものに比して、消費電力量を計算上、それぞれ１７．７％または１４．４％低減させることが可能である。
【００５３】
図１４に示した配置パターンは、次のようにして得られる。ここでは、左側商品収容庫６０ａおよび中央商品収容庫６０ｂを商品冷却庫として、右側商品収容庫６０ｃを商品加温庫として運転している。まず、図８に示した状態から左側商品収容庫６０ａと中央商品収容庫６０ｂとを仕切る断熱仕切板５０を商品収容室３０の前面開口を通じて取り外す。次に、左側商品収容庫６０ａを右方向にスライド移動させて中央商品収容庫６０ｂに当接させることにより生じたスペースに、先程取り外した断熱仕切板５０を商品収容室３０の前面開口から進入させて、左側部断熱部材３１ｄと左側商品収容庫６０ａとの間に断熱仕切板５０を介在させる。
【００５４】
このような商品収容室３０の配置パターンであれば、左側商品収容庫６０ａおよび中央商品収容庫６０ｂの内部と本体キャビネット１０の外部との熱移動量の低減を図ることが可能になり、例えば、外気温が１５℃で商品収納ラック７０ａ，７０ｂから取り出される商品の目標冷却温度を４℃に設定するとともに、商品収納ラック７０ｃから取り出される商品の目標加温温度を５５℃に設定し、一つの断熱仕切板５０の厚みを１０ｍｍまたは３０ｍｍとした場合、従来のものに比して、消費電力量を計算上、それぞれ８．５％または１０．２％低減させることが可能である。
【００５５】
図１５に示した配置パターンは、次のようにして得られる。ここでは、左側商品収容庫６０ａおよび中央商品収容庫６０ｂを商品冷却庫として、右側商品収容庫６０ｃを商品加温庫として運転している。まず、図８に示した状態から左側商品収容庫６０ａと中央商品収容庫６０ｂとを仕切る断熱仕切板５０を商品収容室３０の前面開口を通じて取り外す。次に、中央商品収容庫６０ｂおよび右側商品収容庫６０ｃを断熱仕切板５０を介在させた状態で左方向にスライド移動させて左側商品収容庫６０ａに当接させることにより生じたスペースに、先程取り外した断熱仕切板５０を商品収容室３０の前面開口から進入させて、右側部断熱部材３１ｅと右側商品収容庫６０ｃとの間に断熱仕切板５０を介在させる。
【００５６】
このような商品収容室３０の配置パターンであれば、右側商品収容庫６０ｃの内部と本体キャビネット１０の外部との熱移動量の低減を図ることが可能になり、例えば、外気温が１５℃で商品収納ラック７０ａ，７０ｂから取り出される商品の目標冷却温度を４℃に設定するとともに、商品収納ラック７０ｃから取り出される商品の目標加温温度を５５℃に設定し、一つの断熱仕切板５０の厚みを１０ｍｍまたは３０ｍｍとした場合、従来のものに比して、消費電力量を計算上、それぞれ１０．７％または１４．５％低減させることが可能である。
【００５７】
図１６に示した配置パターンは、次のようにして得られる。ここでは、左側商品収容庫６０ａを商品冷却庫として、中央商品収容庫６０ｂおよび右側商品収容庫６０ｃを商品加温庫として運転している。まず、図８に示した状態から中央商品収容庫６０ｂと右側商品収容庫６０ｃとを仕切る断熱仕切板５０を商品収容室３０の前面開口を通じて取り外す。次に、中央商品収容庫６０ｂを右方向にスライド移動させて右側商品収容庫６０ｃに当接させることにより生じたスペースに、先程取り外した断熱仕切板５０を商品収容室３０の前面開口から進入させて、左側商品収容庫６０ａと中央商品収容庫６０ｂとの間に二つの断熱仕切板５０を介在させる。
【００５８】
このような商品収容室３０の配置パターンであれば、温度差の大きい商品冷却庫（左側商品収容庫６０ａ）と商品加温庫（中央商品収容庫６０ｂおよび右側商品収容庫６０ｃ）との間における熱移動量の低減を図ることが可能になり、例えば、外気温が５℃で商品収納ラック７０ａから取り出される商品の目標冷却温度を４℃に設定するとともに、商品収納ラック７０ｂおよび商品収納ラック７０ｃから取り出される商品の目標加温温度を５５℃に設定し、一つの断熱仕切板５０の厚みを１０ｍｍまたは３０ｍｍとした場合、従来のものに比して、消費電力量を計算上、それぞれ１５．６％または１５．１％低減させることが可能である。
【００５９】
図１７に示した配置パターンは、次のようにして得られる。ここでは、左側商品収容庫６０ａを商品冷却庫として、中央商品収容庫６０ｂおよび右側商品収容庫６０ｃを商品加温庫として運転している。まず、図８に示した状態から中央商品収容庫６０ｂと右側商品収容庫６０ｃとを仕切る断熱仕切板５０を商品収容室３０の前面開口を通じて取り外す。次に、左側商品収容庫６０ａおよび中央商品収容庫６０ｂを断熱仕切板５０を介在させた状態で右方向にスライド移動させて右側商品収容庫６０ｃに当接させることにより生じたスペースに、先程取り外した断熱仕切板５０を商品収容室３０の前面開口から進入させて、左側部断熱部材３１ｄと左側商品収容庫６０ａとの間に断熱仕切板５０を介在させる。
【００６０】
このような商品収容室３０の配置パターンであれば、左側商品収容庫６０ａの内部と本体キャビネット１０の外部との熱移動量の低減を図ることが可能になり、例えば、外気温が５℃で商品収納ラック７０ａから取り出される商品の目標冷却温度を４℃に設定するとともに、商品収納ラック７０ｂおよび商品収納ラック７０ｃから取り出される商品の目標加温温度を５５℃に設定し、一つの断熱仕切板５０の厚みを１０ｍｍまたは３０ｍｍとした場合、従来のものに比して、消費電力量を計算上、それぞれ６．８％または７．６％低減させることが可能である。
【００６１】
図１８に示した配置パターンは、次のようにして得られる。ここでは、左側商品収容庫６０ａを商品冷却庫として、中央商品収容庫６０ｂおよび右側商品収容庫６０ｃを商品加温庫として運転している。まず、図８に示した状態から中央商品収容庫６０ｂと右側商品収容庫６０ｃとを仕切る断熱仕切板５０を商品収容室３０の前面開口を通じて取り外す。次に、右側商品収容庫６０ａを左方向にスライド移動させて中央商品収容庫６０ｂに当接させることにより生じたスペースに、先程取り外した断熱仕切板５０を商品収容室３０の前面開口から進入させて、右側部断熱部材３１ｅと右側商品収容庫６０ｃとの間に断熱仕切板５０を介在させる。
【００６２】
このような商品収容室３０の配置パターンであれば、中央商品収容庫６０ｂおよび右側商品収容庫６０ｃの内部と本体キャビネット１０の外部との熱移動量の低減を図ることが可能になり、例えば、外気温が５℃で商品収納ラック７０ａから取り出される商品の目標冷却温度を４℃に設定するとともに、商品収納ラック７０ｂおよび商品収納ラック７０ｃから取り出される商品の目標加温温度を５５℃に設定し、一つの断熱仕切板５０の厚みを１０ｍｍまたは３０ｍｍとした場合、従来のものに比して、消費電力量を計算上、それぞれ１０．７％または１４．９％低減させることが可能である。
【００６３】
以上、本発明の好適な実施例について説明したが、本発明はこれに限定されるものではなく、種々の変更を行うことができる。例えば、断熱仕切板５０′は、図１９に示したように、棒状をなす下部５０ａと、この下部５０ａの上端面に対して下面が摺動自在に載る本体５０ｂとの二部品で構成されていても良い。これによっても商品収容室３０から取り外し自在になる。また、上記実施例においては、循環ダクト３７は、底板部材３２と一緒にスライド移動できるようにしたが、これに限られず、別個に移動できるようにしても構わないし、底板部材３２のスライド移動を許容する大きさを有して固定配置されていても構わない。
【産業上の利用可能性】
【００６４】
以上のように、本発明に係る自動販売機は、例えば缶入り飲料、瓶入り飲料、紙パック入り飲料およびペットボトル入り飲料等の各種商品を冷却した状態、あるいは加温した状態で販売に有用である。
【図面の簡単な説明】
【００６５】
【図１】本発明の実施例に係る自動販売機の要部を簡略的に示した分解斜視図である。
【図２】図１に示した自動販売機の要部を簡略的に示した側面断面図である。
【図３】図２に示した商品収容室の上部を拡大して示した要部断面側面図である。
【図４】図１に示した自動販売機に適用されるラック支持フレームを上方側から見た斜視図である。
【図５】図２に示した商品収容室の下部を拡大して示した要部断面側面図である。
【図６】図１に示した自動販売機に適用される底板部材を上方側から見た斜視図である。
【図７】図１に示した自動販売機に適用される断熱仕切板を上方側から見た斜視図である。
【図８】図１に示した自動販売機における商品収容室を簡略的に示した断面平面図である。
【図９】図８における商品収容室における商品収容庫のレイアウトの変更の手順を示した断面正面図である。
【図１０】図９の（ａ）に示した状態を正面から示した正面断面図である。
【図１１】図９の（ｃ）に示した状態を正面から示した正面断面図である。
【図１２】図１に示した自動販売機の商品収容室の内部の代表的な配置パターンの一例を示した断面平面図である。
【図１３】図１に示した自動販売機の商品収容室の内部の代表的な配置パターンの一例を示した断面平面図である。
【図１４】図１に示した自動販売機の商品収容室の内部の代表的な配置パターンの一例を示した断面平面図である。
【図１５】図１に示した自動販売機の商品収容室の内部の代表的な配置パターンの一例を示した断面平面図である。
【図１６】図１に示した自動販売機の商品収容室の内部の代表的な配置パターンの一例を示した断面平面図である。
【図１７】図１に示した自動販売機の商品収容室の内部の代表的な配置パターンの一例を示した断面平面図である。
【図１８】図１に示した自動販売機の商品収容室の内部の代表的な配置パターンの一例を示した断面平面図である。
【図１９】図７に示した断熱仕切板の変形例を上方側から見た斜視図である。
【図２０】従来の自動販売機における商品収容室の一例を簡略的に示した分解斜視図である。
【図２１】従来の自動販売機の要部を簡略的に示した正面断面図である。
【符号の説明】
【００６６】
１０    本体キャビネット
１１    第一凹部
１２    第二凹部
１３    前方フレーム材
１４    後方フレーム材
２０    外扉
２１    内扉
３０    商品収容室
３１ａ〜３１ｅ    断熱部材
３２，３２ａ，３２ｂ，３２ｃ    底板部材
３３ａ，３３ｂ    ローラ
３４ａ，３４ｂ    ブラケット
３５    排水通路
３６    垂上部
３７，３７ａ，３７ｂ，３７ｃ    循環ダクト
３８    冷却／加熱ユニット
３８ａ    庫内送風ファン
３９    商品搬出シュータ
４０，４０ａ，４０ｂ，４０ｃ    ラック支持フレーム
４１    縦フレーム材
４１ａ    縦材水平部
４１ｂ    縦材垂下部
４２    横フレーム材
４２ａ    横材水平部
４２ｂ    横材垂下部
４２ｃ    係止部
４３ａ，４３ｂ    ローラ
４４ａ，４４ｂ    ブラケット
５０    断熱仕切板
５１    ローラ
６０，６０ａ，６０ｂ，６０ｃ    商品収容庫
７０，７０ａ，７０ｂ，７０ｃ    商品収納ラック
７１    側板
７２    案内部材
７３    商品収納域
【図１】
2005149019.tif 000003
【図２】
2005149019.tif 000004
【図３】
2005149019.tif 000005
【図４】
2005149019.tif 000006
【図５】
2005149019.tif 000007
【図６】
2005149019.tif 000008
【図７】
2005149019.tif 000009
【図８】
2005149019.tif 000010
【図９】
2005149019.tif 000011
【図１０】
2005149019.tif 000012
【図１１】
2005149019.tif 000013
【図１２】
2005149019.tif 000014
【図１３】
2005149019.tif 000015
【図１４】
2005149019.tif 000016
【図１５】
2005149019.tif 000017
【図１６】
2005149019.tif 000018
【図１７】
2005149019.tif 000019
【図１８】
2005149019.tif 000020
【図１９】
2005149019.tif 000021
【図２０】
2005149019.tif 000022
【図２１】
2005149019.tif 000023